(57)【特許請求の範囲】
【請求項１】
複数の蓄電素子と、
前記複数の蓄電素子を保持する保持部材とを備え、
前記保持部材は、前記複数の蓄電素子の電極端子とは反対側に配置される第二保持部材を有し、
前記第二保持部材は、前記複数の蓄電素子の間に設けられた配置物の前記反対側の端部の側方に形成される壁部を有し、
前記壁部は、前記配置物の前記端部に対向する位置に配置され、かつ、前記配置物の前記端部と対向する第二方向に前記第二保持部材を貫通している第二開口部を有する
蓄電装置。
【請求項２】
前記保持部材は、前記複数の蓄電素子の電極端子側に配置される第一保持部材を有し、
前記第一保持部材は、前記配置物の前記電極端子側の面に対向する位置に配置され、かつ、前記配置物の前記電極端子側の前記面と対向する、前記第二方向とは異なる第一方向に前記第一保持部材を貫通している第一開口部を有する
請求項１に記載の蓄電装置。
【請求項３】
前記蓄電装置は、前記配置物として、前記複数の蓄電素子の間に設けられる仕切板を備え、
前記壁部は、第一壁部と、前記第一壁部に対向して配置され、前記第一壁部とで前記仕切板が挿入される溝部を形成する第二壁部とを有し、
前記第一壁部及び前記第二壁部の少なくとも一方には、前記溝部の、前記仕切板の先端が当接している底面に対応する位置に、前記第二開口部が形成されている
請求項１または２に記載の蓄電装置。
【請求項４】
前記第一壁部及び前記第二壁部の少なくとも一方には、複数の前記第二開口部が前記溝部の長手方向に並んで形成されている
請求項３に記載の蓄電装置。
【請求項５】
前記第一壁部及び前記第二壁部には、前記第一壁部及び前記第二壁部の互いに対向する一対の壁面のそれぞれにおいて、互いに対向する位置とは異なる位置から突出する複数の突出部が形成されている
請求項３または４に記載の蓄電装置。
【発明の詳細な説明】
【技術分野】
【０００１】
本発明は、蓄電素子を備える蓄電装置に関する。
【背景技術】
【０００２】
蓄電素子を備える蓄電装置において、従来、保持部材により複数の蓄電素子が保持された構成が知られている（例えば、特許文献１参照）。
【先行技術文献】
【特許文献】
【０００３】
【特許文献１】特開２０１１−３４７３０号公報
【発明の概要】
【発明が解決しようとする課題】
【０００４】
ところで、従来の蓄電装置において、蓄電素子の側方には、仕切板などの部材（以下、「配置物」という。）が設けられる場合がある。この場合、蓄電素子と保持部材とを組み付けた後では、配置物が保持部材又は蓄電素子によって遮られて視認しにくくなり、配置物の有無や配置位置などの配置状態を確認することが難しくなるおそれがある。このため、配置物の配置状態を確認したい場合には、一旦組み立てた蓄電素子および保持部材を分解して配置物の配置状態を確認する必要が生じるなど、蓄電装置の組み立て時の作業性が低下するおそれがある。
【０００５】
本発明は、上記課題を解決するためになされたものであり、組み立て時の作業性を向上させることができる蓄電装置を提供することを目的とする。
【課題を解決するための手段】
【０００６】
上記目的を達成するために、本発明の一態様に係る蓄電装置は、蓄電素子と、前記蓄電素子を保持する保持部材とを備え、前記保持部材は、前記蓄電素子の側方に設けられた配置物に対向する位置に開口部を有する。
【０００７】
これによれば、保持部材は、蓄電素子の側方に設けられた配置物に対向する位置に開口部を有するため、蓄電装置の組み立て時に、当該開口部から配置物の有無や配置位置などの配置状態を容易に視認できる。このため、蓄電装置の組み立て時の作業性を向上させることができる。
【０００８】
また、前記保持部材は、前記蓄電素子の電極端子側に配置される第一保持部材を有し、前記第一保持部材は、前記配置物の前記電極端子側の面に対向する位置に第一開口部を有してもよい。
【０００９】
これによれば、蓄電素子の電極端子側に配置される第一保持部材は、配置物の、電極端子側の面に対向する位置に第一開口部を有するため、第一保持部材と蓄電素子とを組み付けた後であっても、第一開口部から配置物の有無を容易に視認できる。このため、蓄電装置の組み立て時の作業性を向上させることができる。
【００１０】
また、前記保持部材は、前記蓄電素子の電極端子とは反対側に配置される第二保持部材を有し、前記第二保持部材は、前記配置物の前記反対側の端部の側方に形成される壁部を有し、前記壁部は、前記配置物の前記端部に対向する位置に第二開口部を有してもよい。
【００１１】
これによれば、蓄電素子の電極端子とは反対側に配置される第二保持部材は、配置物の電極端子とは反対側の端部の側方に形成される壁部を有している。そして、壁部は、当該配置物の端部に対向する位置に第二開口部を有する。このため、第二保持部材と配置物とを組み付けた後であっても、第二開口部から配置物の配置位置を容易に視認できる。このため、蓄電装置の組み立て時の作業性を向上させることができる。
【００１２】
また、前記蓄電装置は、前記配置物として、前記蓄電素子の側方に設けられる仕切板を備え、前記壁部は、第一壁部と、前記第一壁部に対向して配置され、前記第一壁部とで前記仕切板が挿入される溝部を形成する第二壁部とを有し、前記第一壁部及び前記第二壁部の少なくとも一方には、前記溝部の、前記仕切板の先端が当接している底面に対応する位置に、前記第二開口部が形成されていてもよい。
【００１３】
これによれば、蓄電素子の側方に設けられる仕切板が挿入される溝部を形成している第一壁部及び第二壁部の少なくとも一方には、当該溝部の、仕切板の先端が当接している底面に対応する位置に第二開口部が形成されている。このため、第二保持部材と仕切板とを組み付けた後であっても、第二開口部から仕切板の溝部への挿入状態を容易に視認できる。このため、蓄電装置の組み立て時の作業性を向上させることができる。
【００１４】
また、前記第一壁部及び前記第二壁部の少なくとも一方には、複数の前記第二開口部が前記溝部の長手方向に並んで形成されていてもよい。
【００１５】
これによれば、第一壁部及び第二壁部の少なくとも一方には、複数の第二開口部が溝部の長手方向に並んで形成されているため、複数の第二開口部から仕切板の溝部への挿入状態を確認することができる。これにより、仕切板が傾いた状態で溝部に挿入されているか否かを確認できるため、仕切板の姿勢を容易に確認できる。このため、蓄電装置の組み立て時の作業性を向上させることができる。
【００１６】
また、前記第一壁部及び前記第二壁部には、前記第一壁部及び前記第二壁部の互いに対向する一対の壁面のそれぞれにおいて、互いに対向する位置とは異なる位置から突出する複数の突出部が形成されていてもよい。
【００１７】
これによれば、第一壁部及び第二壁部の少なくとも一方には、互いに対向する位置とは異なる位置から突出する複数の突出部が形成されている。これにより、仕切板を溝部に挿入する際に、複数の突出部が仕切板に満遍なく当接するため、仕切板を溝部に挿入しやすく、かつ、挿入後の仕切板を溝部内で強固に保持することができる。
【発明の効果】
【００１８】
本発明によれば、蓄電装置の組み立て時の作業性を向上させることができる。
【図面の簡単な説明】
【００１９】
【図１】本発明の実施の形態に係る蓄電装置の外観を示す斜視図である。
【図２】本発明の実施の形態に係る蓄電装置を分解した場合の各構成要素を示す分解斜視図である。
【図３】本発明の実施の形態に係る蓄電素子の構成を示す斜視図である。
【図４】本発明の実施の形態に係る端子側配置部材の構成を示す斜視図である。
【図５】本発明の実施の形態に係る底面側配置部材の構成を示す斜視図である。
【図６】本発明の実施の形態に係る底面側配置部材の構成を示す平面図である。
【図７】本発明の実施の形態に係る底面側配置部材の溝部の所定の位置に仕切板が配置された構成を示す斜視図である。
【図８】本発明の実施の形態に係る底面側配置部材の溝部の所定の位置に仕切板が配置されていない構成を示す斜視図である。
【図９】本発明の実施の形態に係る底面側配置部材、仕切板、蓄電素子及び端子側配置部材を組み付けた構成を示す斜視図である。
【図１０】本発明の実施の形態に係る底面側配置部材、蓄電素子及び端子側配置部材を組み付けた構成を示す斜視図である。
【発明を実施するための形態】
【００２０】
以下、図面を参照しながら、本発明の実施の形態に係る蓄電装置について説明する。なお、以下で説明する実施の形態は、本発明の一具体例を示すものである。以下の実施の形態で示される数値、形状、材料、構成要素、構成要素の配置位置及び接続形態などは、一例であり、本発明を限定する主旨ではない。また、以下の実施の形態に係る構成要素のうち、最上位概念を示す独立請求項に記載されていない構成要素については、任意の構成要素として説明される。また、各図は、蓄電装置の説明のための図であり、必ずしも厳密に図示したものではない。
【００２１】
（実施の形態）
まず、蓄電装置１の構成について、説明する。
【００２２】
図１は、本発明の実施の形態に係る蓄電装置１の外観を示す斜視図である。また、図２は、本発明の実施の形態に係る蓄電装置１を分解した場合の各構成要素を示す分解斜視図である。
【００２３】
なお、これらの図では、Ｚ軸方向を上下方向として示しており、以下ではＺ軸方向を上下方向として説明するが、使用態様によってはＺ軸方向が上下方向にならない場合も考えられるため、Ｚ軸方向は上下方向となることには限定されない。例えば、Ｘ軸方向が上下方向になってもかまわない。以下の図においても、同様である。
【００２４】
蓄電装置１は、外部からの電気を充電し、また外部へ電気を放電することができる装置である。例えば、蓄電装置１は、電力貯蔵用途や電源用途などに使用される電池モジュールである。中でも、本実施の形態に係る蓄電装置１は、据置用の電源装置として好適に使用される。
【００２５】
まず、図１に示すように、蓄電装置１は、外装体本体１００と蓋体１１０とからなる外装体１０を備えている。また、図２に示すように、蓄電装置１は、外装体１０の内方に、底面側配置部材２０と、仕切板３０と、蓄電素子４０と、端子側配置部材５０と、バスバー６０と、基板７０とを備えている。
【００２６】
外装体１０は、蓄電装置１の外装体を構成する矩形状（箱型）の容器（モジュールケース）である。外装体１０は、蓄電素子４０や基板７０などを所定の位置に配置し、蓄電素子４０や当該基板７０などを衝撃などから保護する。外装体１０は、例えば、アルミニウムや鉄等の金属などの剛性の高い材料により構成されている。なお、外装体１０は、ポリプロピレン（ＰＰ）、ポリエチレン（ＰＥ）、ポリカーボネート（ＰＣ）、ポリブチレンテレフタレート（ＰＢＴ）又はＡＢＳ樹脂等の樹脂材料により構成されていてもかまわない。
【００２７】
ここで、外装体１０は、外装体本体１００と、蓋体１１０とを有している。外装体本体１００は、開口が形成された有底矩形筒状のハウジングであり、底面側配置部材２０と、仕切板３０と、蓄電素子４０と、端子側配置部材５０と、バスバー６０と、基板７０とを収容する。蓋体１１０は、外装体本体１００の開口を閉塞する扁平な矩形状のカバー部材であり、正極外部端子１１１と負極外部端子１１２とが設けられている。蓄電装置１は、この正極外部端子１１１と負極外部端子１１２とを介して、外部からの電気を充電し、また外部へ電気を放電する。
【００２８】
底面側配置部材２０は、蓄電素子４０の電極端子とは反対側（つまり蓄電素子４０の底面側、下側又はＺ軸方向マイナス側、以下、「底面側」と言う。）に配置される扁平な矩形状の部材であり、仕切板３０及び蓄電素子４０を下方から保持する第二保持部材である。つまり、底面側配置部材２０は、外装体本体１００の底壁に載置され、仕切板３０及び蓄電素子４０を外装体１０に対して所定位置で保持する。
【００２９】
具体的には、底面側配置部材２０は、絶縁性の材料により構成されており、上面に形成された溝部及び凹部に仕切板３０及び蓄電素子４０が挿入されて、仕切板３０及び蓄電素子４０を外装体１０内で固定する。このようにして、底面側配置部材２０は、蓄電素子４０が外装体１０等の導電性の部材に接触することを回避するとともに、蓄電素子４０等を振動や衝撃等から保護する。
【００３０】
なお、底面側配置部材２０は、どのような絶縁性の材料で形成されていてもかまわないが、例えばガラス繊維によって強化されたポリブチレンテレフタレート（ＧＦ強化ＰＢＴ）や、ポリフェニレンサルファイド（ＰＰＳ）等の耐熱性の高い樹脂で形成されるのが好ましい。これにより、蓄電素子４０が発熱した場合でも、底面側配置部材２０が損傷して他の蓄電素子４０に影響を及ぼすのを抑制することができる。なお、蓄電素子４０の絶縁性を確保できるのであれば、底面側配置部材２０は、絶縁性の材料で形成されていなくともかまわない。底面側配置部材２０の構成の詳細については、後述する。
【００３１】
仕切板３０は、蓄電装置１が備える蓄電素子４０のうちのいずれかの蓄電素子４０の側方に配置される配置物である。具体的には、仕切板３０は、隣り合う２つの蓄電素子４０の間に配置され、当該２つの蓄電素子４０間を仕切る矩形状かつ板状の部材である。本実施の形態では、４個の蓄電素子４０に対して、３枚の仕切板３０が配置されている。
【００３２】
ここで、仕切板３０は、断熱性を有する部材（断熱板）であり、例えばマイカから構成される断熱材などによって形成されている。具体的には、仕切板３０を形成する断熱材の一例として、マイカ片を集積し、結合することで構成されるダンマ材が挙げられる。つまり、仕切板３０は、蓄電素子４０から発せられる熱が隣り合う蓄電素子４０等に伝わるのを抑制する機能を有している。
【００３３】
蓄電素子４０は、電気を充電し、また、電気を放電することのできる二次電池（単電池）であり、より具体的には、リチウムイオン二次電池などの非水電解質二次電池である。蓄電素子４０は、２つの仕切板３０の間、または仕切板３０と外装体１０の側壁（外装体本体１００の側壁）との間に配置され、外装体１０内に収容される。また、蓄電素子４０は、非水電解質二次電池には限定されず、非水電解質二次電池以外の二次電池であってもよいし、キャパシタであってもよい。蓄電素子４０の構成の詳細については、後述する。
【００３４】
端子側配置部材５０は、蓄電素子４０の電極端子側に配置される扁平な矩形状の部材であり、蓄電素子４０を上方から保持する第一保持部材である。つまり、端子側配置部材５０は、蓄電素子４０の上方に配置されており、底面側配置部材２０とともに、蓄電素子４０を上下両側（Ｚ軸方向）から挟み込むことで、蓄電素子４０を外装体１０に対して所定位置で保持する。
【００３５】
具体的には、端子側配置部材５０は、絶縁性の材料により構成されており、下面に形成された凹部に蓄電素子４０が挿入されて、蓄電素子４０を外装体１０内で固定する。このようにして、端子側配置部材５０は、蓄電素子４０が外装体１０等の導電性の部材に接触することを回避するとともに、蓄電素子４０等を振動や衝撃等から保護する。なお、端子側配置部材５０は、蓄電素子４０と同様に仕切板３０が挿入される凹部が形成されており仕切板３０も保持する構成としてもよいし、仕切板３０を保持しない構成でもよい。
【００３６】
また、端子側配置部材５０には、バスバー６０及び基板７０が載置される。つまり、端子側配置部材５０は、バスバー６０及び基板７０を蓄電素子４０に取り付ける際の蓄電素子４０に対する位置決めの機能も有する。また、端子側配置部材５０には、基板７０の他にも、リレー、シャント抵抗、ホールセンサ、プリチャージ抵抗等の部品が配置されてもよい。
【００３７】
なお、端子側配置部材５０は、どのような絶縁性の材料で形成されていてもかまわないが、コスト面等から、例えばＰＰ、ＰＥ、ＰＣ又はＡＢＳ樹脂等の樹脂で形成されるのが好ましい。なお、蓄電素子４０やバスバー６０等の絶縁性を確保できるのであれば、端子側配置部材５０は、絶縁性の材料で形成されていなくともかまわない。この端子側配置部材５０の構成の詳細については、後述する。
【００３８】
バスバー６０は、端子側配置部材５０の上方に配置され、複数の蓄電素子４０同士を電気的に接続する金属など導電性の板状部材である。具体的には、バスバー６０は、隣接する蓄電素子４０において、一の蓄電素子４０の正極端子又は負極端子と、他の蓄電素子４０の負極端子又は正極端子とを接続する。本実施の形態では、バスバー６０は、４個の蓄電素子４０を直列に接続する。
【００３９】
基板７０は、端子側配置部材５０の上方に配置されている。基板７０は、配線（リード線）によって蓄電素子４０の正極端子または負極端子に接続され、例えば、蓄電素子４０の充電状態や放電状態（電圧、温度等の電池状態）等を取得し、監視し、制御する。
【００４０】
次に、蓄電素子４０の構成について、詳細に説明する。
【００４１】
図３は、本発明の実施の形態に係る蓄電素子４０の構成を示す斜視図である。
【００４２】
同図に示すように、蓄電素子４０は、容器４１０、正極端子４３０及び負極端子４４０を備え、容器４１０は、容器蓋部４２０を備えている。また、容器４１０内方には、電極体、正極集電体及び負極集電体等が配置されているが、詳細な説明は省略する。
【００４３】
容器４１０は、金属からなる矩形筒状で底を備える筐体本体と、当該筐体本体の開口を閉塞する金属製の容器蓋部４２０とで構成されている。また、容器４１０は、電極体等を内部に収容後、容器蓋部４２０と筐体本体とが溶接等されることにより、内部を密封することができるものとなっている。このように、容器４１０は、同図のＹ軸方向両側の側面に長側面を有し、Ｘ軸方向両側の側面に短側面を有する直方体形状の容器である。なお、容器４１０の材質は、特に限定されないが、例えばステンレス鋼やアルミニウムなど溶接可能な金属であるのが好ましい。
【００４４】
正極端子４３０は、正極集電体を介して、電極体の正極に電気的に接続された電極端子であり、負極端子４４０は、負極集電体を介して、電極体の負極に電気的に接続された電極端子であり、いずれも容器蓋部４２０に取り付けられている。つまり、正極端子４３０及び負極端子４４０は、電極体に蓄えられている電気を蓄電素子４０の外部空間に導出し、また、電極体に電気を蓄えるために蓄電素子４０の内部空間に電気を導入するための金属製の電極端子である。
【００４５】
次に、端子側配置部材５０の構成について、詳細に説明する。
【００４６】
図４は、本発明の実施の形態に係る端子側配置部材５０の構成を示す斜視図である。
【００４７】
図４に示すように、端子側配置部材５０は、複数の蓄電素子４０（本実施の形態では、４個の蓄電素子４０）の電極端子側に配置される部材であり、上方に、複数のバスバー６０（本実施の形態では、３個のバスバー６０）及び基板７０が配置される。具体的には、端子側配置部材５０は、端子露出部５１０と、第一開口部５２０と、基板載置部５３０とを有している。
【００４８】
端子露出部５１０は、蓄電素子４０の正極端子４３０及び負極端子４４０に対向する位置に設けられ、蓄電素子４０の正極端子４３０及び負極端子４４０を端子側配置部材５０から露出させる部位である。具体的には、端子露出部５１０は、４個の蓄電素子４０それぞれの正極端子４３０及び負極端子４４０に対応して端子側配置部材５０に形成され、端子側配置部材５０を端子側配置部材５０の厚み方向（Ｚ軸方向）に貫通している８つの矩形状の開口である。つまり、端子露出部５１０は、Ｘ軸方向に並ぶ２つの開口がＹ軸方向に４組配列されて配置されている。
【００４９】
第一開口部５２０は、仕切板３０の電極端子側（正極端子４３０側又は負極端子４４０側、つまり上側あるいはＺ軸方向プラス側）の面に対向する位置に形成される部位である。具体的には、第一開口部５２０は、端子側配置部材５０の、３枚の仕切板３０それぞれの上側の面に対向する位置に２つずつ形成され、端子側配置部材５０を端子側配置部材５０の厚み方向（Ｚ軸方向）に貫通している６つの長尺状の貫通孔である。つまり、第一開口部５２０は、Ｘ軸方向に並ぶ２つの開口がＹ軸方向に３組配列されて配置されている。
【００５０】
基板載置部５３０は、端子側配置部材５０の中央位置に形成され、基板７０が載置される平面状の部位である。つまり、基板載置部５３０と蓋体１１０との間に空間が形成され、当該空間内に基板７０が配置される。
【００５１】
次に、底面側配置部材２０の構成について、詳細に説明する。
【００５２】
図５は、本発明の実施の形態に係る底面側配置部材２０の構成を示す斜視図である。図６は、本発明の実施の形態に係る底面側配置部材２０の構成を示す平面図である。なお、図６の（ａ）は、底面側配置部材２０の全体を示す平面図である。図６の（ｂ）は、底面側配置部材２０の一部を拡大した拡大図である。
【００５３】
図５及び図６に示すように、底面側配置部材２０は、蓄電素子４０の底面側の端部が挿入される凹部２１０と、複数の蓄電素子４０の底面側の端部を仕切る壁部２２０とを有する。
【００５４】
凹部２１０は、複数の蓄電素子４０のそれぞれに対応して形成されたＸ軸方向に延びる長尺状の凹部であり、Ｙ軸方向に並んで配置されている。本実施の形態では、４個の蓄電素子４０のそれぞれに対応して、底面側配置部材２０の上面に４つの凹部２１０が形成されている。そして、複数の凹部２１０は、各凹部２１０に蓄電素子４０の底面側の端部が挿入されて、複数の蓄電素子４０の底面を下方から支持する。
【００５５】
壁部２２０は、蓄電素子４０の底面側の端部の側方に形成される壁状の部位である。具体的には、壁部２２０は、隣り合う２つの蓄電素子４０の底面側の端部の間に配置され、当該２つの蓄電素子４０の底面側の端部を仕切る部位である。本実施の形態では、４個の蓄電素子４０に対して、３つの壁部２２０が形成されている。
【００５６】
また、壁部２２０には、仕切板３０の下側（つまり、電極端子の反対側、底面側又はＺ軸方向マイナス側）の端部が挿入される溝部２２２が形成されている。具体的には、壁部２２０は、対向して配置された第一壁部２２０ａと第二壁部２２０ｂとを有しており、溝部２２２は、第一壁部２２０ａと第二壁部２２０ｂとの間に形成されている。ここで、第一壁部２２０ａは、複数の蓄電素子４０の並び方向の一方側（Ｙ軸方向マイナス側）に形成された壁であり、第二壁部２２０ｂは、複数の蓄電素子４０の並び方向の他方側（Ｙ軸方向プラス側）に形成された壁である。つまり、壁部２２０は、第一壁部２２０ａと、第一壁部２２０ａとで溝部２２２を形成している第二壁部２２０ｂとを有している。
【００５７】
また、第一壁部２２０ａ及び第二壁部２２０ｂには、第一壁部２２０ａ及び第二壁部２２０ｂの互いに対向する一対の壁面のそれぞれにおいて、互いに対向する位置とは異なる位置から突出する複数の突出部２２３が形成されている。具体的には、図６の（ｂ）に示すように、第一壁部２２０ａに形成されている第一突出部２２３ａは、第二壁部２２０ｂに形成されている第二突出部２２３ｂとは、Ｘ軸方向において異なる位置から突出している。つまり、第一突出部２２３ａと第二突出部２２３ｂとは、Ｘ軸方向において、互い違いになるように（千鳥状に）配置されている。
【００５８】
本実施の形態では、複数の突出部２２３は、仕切板３０の挿入方向（つまり、上下方向又はＺ軸方向）に延びる長尺状のリブである。つまり、複数の突出部２２３のそれぞれは、溝部２２２の挿入方向（深さ方向又はＺ軸方向）の幅にわたって形成されている。このように、突出部２２３を溝部２２２の挿入方向の幅にわたって形成することで、溝部２２２に挿入された仕切板３０の先端部分を当該挿入方向にわたって支持することができる。
【００５９】
なお、複数の突出部２２３は、挿入方向に長いリブでなくてもよく、略円錐形状、略半円形状などに突出した形状を有する突起であってもよい。この場合の複数の突起は、溝部２２２の長手方向の異なる位置に形成されているだけでなく、挿入方向の異なる位置に形成されていることが好ましい。
【００６０】
また、壁部２２０は、上部に、切り欠き状に形成された複数の矩形状の第二開口部２２１を有している。本実施の形態では、３つの壁部２２０のそれぞれに、２つの第二開口部２２１が形成されている。２つの第二開口部２２１は、壁部２２０に形成されている溝部２２２の長手方向に並んで形成されている。また、２つの第二開口部２２１のそれぞれは、溝部２２２の底面の位置まで切り欠かれている。つまり、２つの第二開口部２２１のそれぞれは、溝部２２２の底面と同一の平面を形成している内面（下側の内面）を有している。
【００６１】
次に、底面側配置部材２０の溝部２２２に仕切板３０を配置した構成について、詳細に説明する。
【００６２】
図７は、本発明の実施の形態に係る底面側配置部材２０の溝部２２２の所定の位置に仕切板３０が配置された構成を示す斜視図である。図８は、本発明の実施の形態に係る底面側配置部材２０の溝部２２２の所定の位置に仕切板３０が配置されていない構成を示す斜視図である。なお、図８は、Ｙ軸方向マイナス側に配置された仕切板３０が溝部２２２の所定の位置に配置されていない構成を示す図である。
【００６３】
図７に示すように、底面側配置部材２０において、壁部２２０に形成された溝部２２２の所定の位置まで仕切板３０の下側の端部が挿入された状態では、２つの第二開口部２２１は、仕切板３０の下側の端部によって閉塞された状態となる。この状態では、上述したように、２つの第二開口部２２１のそれぞれは、溝部２２２の底面と同一の平面を形成している下側の内面を有しているため、２つの第二開口部２２１の下側の内面には、仕切板３０の下側の端部が当接している。言い換えると、溝部２２２を形成している第一壁部２２０ａ及び第二壁部２２０ｂには、溝部２２２の、仕切板３０の先端が当接している底面に対応する位置に、第二開口部２２１が形成されている。
【００６４】
これにより、第二開口部２２１が仕切板３０の下側の端部によって閉塞された状態を視認することで、仕切板３０が溝部２２２の底面（つまり、溝部２２２の所定の位置）まで挿入されていることを確認できる。なお、必ずしも、仕切板３０の先端が溝部２２２の底面に当接していなくてもよい場合もある。つまり、仕切板３０が底面に当接するまでは溝部２２２に挿入されていない場合でも、例えば、第二開口部２２１から仕切板３０が溝部２２２の８〜９割ほどの深さまで挿入されていることが視認できれば、仕切板３０の溝部２２２への挿入が十分であると判断してもよい。
【００６５】
一方で、図８に示すように、底面側配置部材２０において、壁部２２０に形成された溝部２２２の所定の位置まで仕切板３０の下側の端部が挿入されていない状態では、２つの第二開口部２２１は、仕切板３０の下側の端部によって閉塞されていない状態となる。つまり、この状態では、第二開口部２２１には、開放されている空間が残った状態となる。さらに、仕切板３０が傾いた状態で溝部２２２に挿入されている場合には、２つの第二開口部２２１のうちの一方に偏って、開放されている空間が多く残ることになる。
【００６６】
これにより、第二開口部２２１が仕切板３０の下側の端部によって閉塞され切れずに、第二開口部２２１に開放されている空間が残っている状態を視認することで、仕切板が溝部２２２の底面（つまり、溝部の所定の位置）まで挿入されていないことを確認できる。また、２つの第二開口部２２１のうちの一方に偏って、開放されている空間が多く残っている状態を視認することで、仕切板３０が傾いた状態で溝部２２２に挿入されていることを確認できる。
【００６７】
また、溝部２２２に仕切板３０が挿入された状態において、第一突出部２２３ａと第二突出部２２３ｂとが仕切板３０のＹ軸方向の両側から当接して配置されている。つまり、第一突出部２２３ａ及び第二突出部２２３ｂは、第一突出部２２３ａの突出している側の端部と、第二突出部２２３ｂの突出している側の端部とのＹ軸方向における間隔（距離）が、仕切板３０の厚みと略等しくなるように形成されている。
【００６８】
次に、底面側配置部材２０、仕切板３０、蓄電素子４０及び端子側配置部材５０を組み付けた構成と、当該構成から仕切板３０を除いた構成との比較について、詳細に説明する。
【００６９】
図９は、本発明の実施の形態に係る底面側配置部材２０、仕切板３０、蓄電素子４０及び端子側配置部材５０を組み付けた構成を示す斜視図である。図１０は、本発明の実施の形態に係る底面側配置部材２０、蓄電素子４０及び端子側配置部材５０を組み付けた構成を示す斜視図である。
【００７０】
具体的には、図９の（ａ）は、底面側配置部材２０、仕切板３０、蓄電素子４０及び端子側配置部材５０を組み付けた構成の全体を示す斜視図である。図９の（ｂ）は、当該構成の端子側配置部材５０の第一開口部５２０周辺の領域を拡大した拡大図である。なお、図９の（ｂ）に示す斜線のハッチング箇所は、仕切板３０の上面の部分を示している。
【００７１】
また、図１０の（ａ）は、底面側配置部材２０、蓄電素子４０及び端子側配置部材５０を組み付けた構成の全体を示す斜視図である。図１０の（ｂ）は、当該構成の端子側配置部材５０の第一開口部５２０周辺の領域を拡大した拡大図であり、図９の（ｂ）に対応する領域の拡大図である。
【００７２】
図９の（ｂ）に示すように、仕切板３０が組み付けられている場合には、第一開口部５２０から仕切板３０を視認することができるため、仕切板３０が配置されていると判断することができる。一方で、図１０の（ｂ）に示すように、仕切板３０が組み付けられていない場合には、第一開口部５２０から仕切板３０を視認することができないため、仕切板３０が配置されていないと判断することができる。つまり、第一開口部５２０は、仕切板３０の有無を視認可能な開口部である。このことから、底面側配置部材２０、仕切板３０、蓄電素子４０及び端子側配置部材５０を組み付けた構成が外装体本体１００に収容されており、仕切板３０が挿入されたかの確認を側方から行うことができない場合であっても、第一開口部５２０から仕切板３０の有無を視認することができる。
【００７３】
以上のような構成により蓄電装置１は、以下に示す課題を解決できる。
【００７４】
つまり、従来の構成の蓄電装置では、蓄電素子と、蓄電素子の電極端子側の部分を保持する保持部材（端子側配置部材）とを組み付けた後において、蓄電素子の側方の配置物（仕切板）が保持部材又は蓄電素子の陰に隠れてしまう場合がある。このため、蓄電素子の側方に配置物が配置されたか否かを確認することが難しいという課題がある。
【００７５】
本実施の形態に係る蓄電装置１によれば、蓄電素子４０の電極端子側に配置される端子側配置部材５０は、配置物としての仕切板３０の、電極端子側の面に対向する位置に第一開口部５２０を有する。このため、端子側配置部材５０と蓄電素子４０とを組み付けた後であっても、第一開口部５２０から仕切板３０の有無を容易に視認できる。このため、蓄電装置１の組み立て時の作業性を向上させることができる。
【００７６】
また、従来の構成の蓄電装置では、蓄電素子の下側の部分を保持する保持部材（底面側配置部材）に配置物（仕切板）を組み付けることにより、蓄電素子の側方の所定の位置に配置物を配置する構成のものがある。この場合、保持部材と配置物とを組み付けた後において、配置物の一部が保持部材の陰に隠れてしまう場合があるため、配置物が蓄電素子の側方の所定の位置に配置されたか否かを確認することが難しいという課題がある。
【００７７】
本実施の形態に係る蓄電装置１によれば、蓄電素子４０の電極端子とは反対側に配置される底面側配置部材２０は、配置物としての仕切板３０の電極端子とは反対側の端部の側方に形成される壁部２２０を有している。そして、壁部２２０は、当該仕切板３０の端部に対向する位置に第二開口部２２１を有している。このため、底面側配置部材２０と仕切板３０とを組み付けた後であっても、第二開口部２２１から仕切板３０の配置位置を容易に視認できる。このため、蓄電装置１の組み立て時の作業性を向上させることができる。
【００７８】
また、蓄電素子４０の側方に設けられる仕切板３０が挿入される溝部２２２を形成している第一壁部２２０ａ及び第二壁部２２０ｂには、当該溝部２２２の仕切板３０の先端が当接している底面に対応する位置に第二開口部２２１が形成されている。このため、底面側配置部材２０と仕切板３０とを組み付けた後であっても、第二開口部２２１から仕切板３０の溝部２２２への挿入状態を容易に視認できる。このため、蓄電装置１の組み立て時の作業性を向上させることができる。
【００７９】
また、以上のような構成から本実施の形態に係る蓄電装置１は、蓄電素子４０と、蓄電素子４０を保持する保持部材としての端子側配置部材５０及び底面側配置部材２０とを備えており、これらの端子側配置部材５０及び底面側配置部材２０は、それぞれ、蓄電素子４０の側方に設けられた配置物としての仕切板３０に対向する位置に形成されている開口部としての、第一開口部５２０及び第二開口部２２１を有すると言える。
【００８０】
つまり、保持部材としての端子側配置部材５０及び底面側配置部材２０は、それぞれ、蓄電素子４０の側方に設けられた仕切板３０に対向する位置に、第一開口部５２０及び第二開口部２２１を有している。このため、蓄電装置１の組み立て時に、第一開口部５２０又は第二開口部２２１から、仕切板３０の有無や配置位置などの配置状態を容易に視認できる。このため、蓄電装置１の組み立て時の作業性を向上させることができる。
【００８１】
また、第一壁部２２０ａ及び第二壁部２２０ｂには、複数の第二開口部２２１が溝部２２２の長手方向に並んで形成されているため、複数の第二開口部２２１から、仕切板３０の溝部２２２への挿入状態を確認することができる。これにより、仕切板３０が傾いた状態で溝部２２２に挿入されているか否かを確認できるため、仕切板の姿勢を容易に確認できる。このため、蓄電装置１の組み立て時の作業性を向上させることができる。
【００８２】
また、第一壁部２２０ａ及び第二壁部２２０ｂには、第一壁部２２０ａ及び第二壁部２２０ｂの互いに対向する一対の壁面のそれぞれにおいて、互いに対向する位置とは異なる位置から突出する複数の突出部２２３が形成されている。これにより、仕切板３０を溝部２２２に挿入する際に、複数の突出部２２３が仕切板３０に満遍なく当接する。また、溝部２２２の幅方向における、一方の壁面に設けられた第一突出部２２３ａと他方の壁面に設けられた第二突出部２２３ｂとの間の間隔よりも、第一突出部２２３ａと第一突出部２２３ａに対向している壁面との間の間隔を広くすることができる。ここで、溝部２２２の幅方向における、一方の壁面に設けられた第一突出部２２３ａと他方の壁面に設けられた第二突出部２２３ｂとの間の間隔は、仕切板３０の厚みと略等しい。つまり、仕切板３０の厚みよりも、第一突出部２２３ａと第一突出部２２３ａに対向している壁面との間の間隔を広くすることができる。これにより、仕切板３０を挿入しやすく、かつ、挿入された状態の仕切板３０を複数の突出部２２３において強固に保持できる構成の溝部２２２とすることができる。
【００８３】
以上、本発明の実施の形態に係る蓄電装置１について説明したが、本発明は、上記実施の形態に限定されるものではない。つまり、今回開示された実施の形態は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。また、上記実施の形態に含まれる構成要素を任意に組み合わせて構築される形態も、本発明の範囲内に含まれる。
【００８４】
例えば、上記実施の形態では、配置物は、隣り合う２つの蓄電素子４０を仕切る仕切板３０であるとした。しかし、配置物は、仕切板３０に限らずに、複数の蓄電素子４０の間隔を維持するためのスペーサであってもよい。また、配置物は、複数の蓄電素子４０の間、蓄電素子４０と外装体との間、又は蓄電素子４０と他の電気機器との間などを絶縁する絶縁部材であってもよい。また、配置物は、複数の蓄電素子４０の間に配置され、複数の蓄電素子４０の側面に対して所定の荷重を加えるための弾性部材であってもよい。また、配置物は、スペーサ、絶縁部材、及び弾性部材の２以上を組み合わせた機能を有する部材であってもよい。また、配置物は、蓄電素子の温度を検出するための温度センサ（サーミスタ）、蓄電素子の電圧値を検出するための電圧センサなどの蓄電素子の状態を検出するための各種センサであってもよい。
【００８５】
また、上記実施の形態では、底面側配置部材２０は、仕切板３０の下側の端部が溝部２２２に挿入されている構成であるとした。しかし、底面側配置部材２０は、仕切板３０の下側の端部が挿入される溝部２２２が形成されていなくてもよく、仕切板３０（又はその他の配置物）の側方を支持する壁部を有している構成であってもよい。
【００８６】
また、上記実施の形態では、底面側配置部材２０は、第一壁部２２０ａ及び第二壁部２２０ｂに第二開口部２２１が形成されていることとした。しかし、第一壁部２２０ａ及び第二壁部２２０ｂの一方に第二開口部が形成されている構成としてもよい。つまり、第一壁部２２０ａ及び第二壁部２２０ｂの少なくとも一方に第二開口部が形成されている構成であればよい。
【００８７】
また、上記実施の形態では、蓄電装置１は、複数の蓄電素子４０を備えていることとした。しかし、蓄電装置は、１つの蓄電素子４０を備える構成であってもよい。この場合であっても、端子側配置部材が蓄電素子４０の電極端子側に配置される場合には、端子側配置部材は蓄電素子４０の側方に配置される配置物に対向する位置に開口部を有している構成であればよい。また、配置物が底面側配置部材の壁部の側方に配置される場合には、底面側配置部材は、蓄電素子４０の側方に配置される配置物の側方に形成される壁部に、開口部を有している構成であればよい。
【産業上の利用可能性】
【００８８】
本発明は、組み立て時の作業性を向上させることができる蓄電装置等に適用できる。
【符号の説明】
【００８９】
１  蓄電装置
１０  外装体
２０  底面側配置部材
４０  蓄電素子
５０  端子側配置部材
６０  バスバー
７０  基板
１００  外装体本体
１１０  蓋体
１１１  正極外部端子
１１２  負極外部端子
２１０  凹部
２２０  壁部
２２０ａ  第一壁部
２２０ｂ  第二壁部
２２１  第二開口部
２２２  溝部
２２３  突出部
２２３ａ  第一突出部
２２３ｂ  第二突出部
４１０  容器
４２０  容器蓋部
４３０  正極端子
４４０  負極端子
５１０  端子露出部
５２０  第一開口部
５３０  基板載置部
【図１】
0006686333.tif 000002
【図２】
0006686333.tif 000003
【図３】
0006686333.tif 000004
【図４】
0006686333.tif 000005
【図５】
0006686333.tif 000006
【図６】
0006686333.tif 000007
【図７】
0006686333.tif 000008
【図８】
0006686333.tif 000009
【図９】
0006686333.tif 000010
【図１０】
0006686333.tif 000011